(57)【特許請求の範囲】
【請求項１】
下部係止爪を備えた下部係止部とロープの緊張器を構成した下部ポールと、上部係止爪を備えた上部係止部とロープ掛止部を構成した上部ポールを構成し、前記下部ポールと上部ポールを折曲部で連結すると共に、
地上に立設した縦支柱の周面上に前記下部係止爪と上部係止爪が係合するポケットを位相をずらして構成し、
前記下部係止爪と上部係止爪を、それぞれ前記位相の異なるポケットに係合して縦支柱にとりつける落下防止部材。
【請求項２】
前記下部係止部は、略Ｕ字形の２枚の下部係止爪を対向配置して一側を補助板に固定すると共に他側を下部ポールに固定し、さらに前記補助板には抜け止を構成してなり、
前記上部係止部は、先端に上部係止爪を垂直に固定した水平支持部と、この水平支持部と直交して上部ポールの上端に固定したロープ掛止部とよりなり、
前記ロープ掛止部の端部にパティションを取り付けて、ロープ先端のフックを掛け留めるためのフック掛部を構成した請求項１記載の落下防止部材。
【発明の詳細な説明】
【技術分野】
【０００１】
本発明は、建設現場等で建物の外壁に沿って設置される仮設足場の落下防止部材に関するものである。
【背景技術】
【０００２】
建築現場や土木工業現場では、建物の外周に沿って、通路を設けたり足場板を設置するために仮設足場を構築している。この仮設足場は、建物の高層階に対応して高所位置まで構築される。そのため仮設足場上で作業を行う作業者の安全を守るために種々の対策が講じられてきた。
【０００３】
特許文献１に開示された発明は先行手摺に関するものである。この先行手摺によれば、左右一対の縦支柱の上端部に横支柱を回転自在に架設し、この横支柱を親綱用の支柱として利用しながら横支柱に命綱を結合したガイドをスライド自在に挿入してなるものである。
前記先行手摺は、剛体である横支柱を親綱用の支柱として利用したために、仮に作業者が落下しても横支柱は大きく撓んだり伸びたりしないため作業者の落下距離はロープに比べ短くなり、そのため作業者に対する荷重、衝撃を小さくできるのである。
【０００４】
特許文献２に開示された発明は命綱用親綱張設装置に関するものである。この装置によれば、親綱を張設する左右の主柱に、縦杆をガイド昇降する上下の固定ローラ体と弾性ローラ体を付設し、縦杆に止着する固定手段を設ける。前記主柱の下部よりに足場体を昇降せしめる引き綱の基端を止着し、一方の主柱に親綱を張設するドラム体を付設し、ドラム体に巻回した親綱を前記一方の主柱の上端の親綱張設プーリを介して他端を他方の主柱の上端に止着してなるものである。
この発明によれば、上下の固定ローラ体及び弾圧ローラ体との共同作業により足場の悪い高所での親綱張設作業が安全確実に且つスピーディに実施できるため、建築用仮設足場の構築・解体が容易である。
【特許文献１】特開２００５−２０７２２５
【特許文献２】特開２０００−１７８４８
【発明の開示】
【発明が解決しようとする課題】
【０００５】
前記特許文献１記載の先行手摺は、構造が複雑な上に運搬時に嵩張るため作業現場での取り扱いが煩雑であると共に、横支柱は一つ区切りになっているので、命綱を横支柱ごとに付け替えながら移動しなくてはならない。
また前記特許文献２記載の命綱用親綱張設装置は、左右の主柱を昇降させるために複雑な構成となっていて昇降作業も煩雑である。さらに左右の主柱に取付ける装置が異なるため左右の主柱を別々に構成して、１回の作業が終わるごとに主柱を縦杆に付け替えなくてならず、連続して命綱を張設することができない。
そのため命綱を張設するスパンを短くすると主柱の付け替え作業が煩雑となり、スパンを長くすると命綱を緊張して張ることができず、命綱がたるみ危険であるという問題点がある。
【０００６】
本発明は上記従来例の問題点に鑑みなされたもので、簡易な構成で安全ベルト用のロープを迅速に張設することができるため仮設足場の施工が安全に行える。また、左右の縦支柱に同一形状の落下防止部材を用いて連続的にロープを張設でき作業効率が向上する落下防止部材を提供するものである。
【課題を解決するための手段】
【０００７】
本発明の要旨とするところは、下部係止爪を備えた下部係止部とロープの緊張器を構成した下部ポールと、上部係止爪を備えた上部係止部とロープ掛止部を構成した上部ポールを構成し、前記下部ポールと上部ポールを折曲部で連結すると共に、地上に立設した縦支柱の周面上に前記下部係止爪と上部係止爪が係合するポケットを位相をずらして構成し、前記下部係止爪と上部係止爪を、それぞれ前記位相の異なるポケットに係合して縦支柱にとりつける落下防止部材である。
【０００８】
また本発明の要旨とするところは、前記下部係止部は、略Ｕ字形の２枚の下部係止爪を対向配置して一側を補助板に固定すると共に他側を下部ポールに固定し、さらに前記補助板には抜け止を構成してなり、前記上部係止部は、先端に上部係止爪を垂直に固定した水平支持部と、この水平支持部と直交して上部ポールの上端に固定したロープ掛止部とよりなり、前記ロープ掛止部の端部にパティションを取り付けて、ロープ先端のフックを掛け留めるためのフック掛部を構成した落下防止部材である。
【発明の効果】
【０００９】
請求項１記載の発明は、下部ポールと上部ポールを折曲部で連結して、下部ポールと上部ポールの軸線をずらすことにより、上部係止爪が下部係止爪に対して、縦支柱の周面上位相の異なるポケットに係合するようにしたため、上部係止部を他の支柱や足場板等に干渉することなく取り付けることができる。
そして安全ベルト用のロープを迅速、容易、かつ確実に縦支柱に張設することができるので部品が少なくなると共に、仮設足場の施工が迅速、安全に行える。また前記ポールの設置間隔を調節してロープを長くすることで、安全ベルトを付け替えずに足場板上の長い距離を移動できるため作業効率が向上する等の効果を生じる。
【００１０】
また、請求項２記載の発明は、前記下部係止部はポケットに確実に係合して抜けが防止され、前記上部係止部はフック掛部にロープ先端のフックを掛け留めて作業できるため、ロープの張設が容易に行える等の効果を生じる。
【発明を実施するための最良の形態】
【００１１】
本発明を実施するための最良の形態は、略Ｕ字形の下部係止爪を備えた下部係止部とロープの緊張器を取り付けた下部ポールと、先端に上部係止爪を垂直に固定した水平支持部とこの水平支持部と直交して上部ポールの上端に固定したロープ掛止部とを取り付けた上部ポールを構成し、前記下部ポールと上部ポールを折曲部で連結する。
一方、地上に立設した縦支柱に前記下部係止爪と上部係止爪が係合するポケットを縦支柱周面上に９０度位相をずらして構成し、前記下部係止爪と上部係止爪を、それぞれ前記位相の異なるポケットに係合して縦支柱にとりつけた落下防止部材である。
【００１２】
本発明の落下防止部材の第１実施形態を図に基づいて説明する。
図１は本実施形態の正面図、図２は同拡大平面図、図３は同左側面図、図４は同使用態様を示す説明図、図５は図４の一部を省略したＡ−Ａ矢視図、図６は下部係止部の拡大斜視図、図７は上部係止部の拡大斜視図及び図８はポールの支柱への取付け状態を示す説明図である。
【００１３】
落下防止部材１は、長尺のポール１０とその上部に固定された上部係止部３０及び下部に固定された下部係止部２０等によって構成されている。
【００１４】
前記ポール１０は、長さ約１５０ｃｍのパイプで構成され、下部係止部２０を取り付けた下部ポール１０ａと上部係止部３０を取り付けた上部ポール１０ｃ及びこの下部ポール１０ａと上部ポール１０ｃを連結する折曲部１０ｂによって構成される。
すなわちポール１０は略中央部を折曲部１０ｂによって折曲されているため、前記上部ポール１０ｃは、下部係止爪２１と直交する方向（図１右側）に距離Ｌだけ平行移動して下部ポール１０ａに対し軸線がずれた状態になっている（図２参照）。
前記下部ポール１０ａ、上部ポール１０ｃ及び折曲部１０ｂの長さは任意であるが、本実施形態ではそれぞれ、約６８ｃｍ、約６６ｃｍ、約３０ｃｍとし、前記距離Ｌも同様に本実施形態では、約５５ｍｍとした。
【００１５】
地上に立設した縦支柱２１０、２２０、２３０、２４０には、ポケット４１、４２が取付けられている。このポケット４１、４２は横支柱１１０、１３０や手摺１２０、１４０等を取付けるためのものであり、図８に示すように下方のポケット４１，４１と上方のポケット４２，４２によって、それぞれ下方係止部４０と上方係止部５０を構成している。
下方のポケット４１と上方のポケット４２は、縦支柱２１０〜２４０の周面上に９０度位相をずらして約４０ｍｍの段差を有して固定されている。この段差は下部係止爪２１や上部係止爪３１が横支柱や足場板と干渉するのを避けるためである。
なお、このような干渉が生じない現場では、下方のポケット４１と上方のポケット４２を段差を設けずに同一平面に配置しても良い。
【００１６】
図６に示すように、下部係止部２０は略Ｕ字形の２枚の下部係止爪２１を対向配置して一側を補助板２２に固定し、他側を下部ポール１０ａにボルト２３，２３で固定してある。
前記補助板２２の下部には、抜け止２９が支軸２８によって回動自在に配置されている。
この抜け止２９はＬ字形状で、水平部分の先端が一方の下部係止爪２１の下部に形成した凹部２１ｂより外側に突出していて、下部係止爪２１が下方のポケット４１に係合した後に離脱するのを防止する作用を果たす。
【００１７】
前記下部係止爪２１の近傍の下部ポール１０ａには、ロープ１２の緊張器２６がボルト２４で固定されている。これはロープ１２の張設時にロープ１２の端部を固定して、ロープ１２の緊張状態を保つ役割をする。
【００１８】
図７に示すように、前記上部係止部３０は上部ポール１０ｃの上部に取り付けられていて、水平に張り出した水平支持部３２の先端に上部係止爪３１を垂直に固定してある。
前記上部ポール１０ｃは、前述のように折曲部１０ｂによって下部ポール１０ａと軸線がずれているため、図１に示すように下部係止爪２１が下方のポケット４１に係合したときには、上部係止爪３１は縦支柱２１０の右側面に接する位置になる。
従って、上部係止爪３１は、前記下方のポケット４１と縦支柱２１０の周面上に９０度位相をずらして取り付けた上方係止部５０の上方のポケット４２に係合できるのである。
これは、後述のように落下防止部材１を下部係止部２０と上部係止部３０によって縦支柱２１０、２４０に取り付ける際に、上部係止部３０が下方のポケット４１と干渉するのを避けるためである。
【００１９】
また、前記上部係止爪３１は、下部係止爪２１より長くなっているがそれは次の理由による。
図１に示すように下部係止爪２１を下部係止部２０の下方のポケット４１に係合し、上部係止爪３１を上部係止部３０の上方のポケット４２に係合すると、両ポケット４１、４２間の距離は長くなる。
これに反し、下部係止爪２１を下部係止部２０の上方のポケット４２に係合し、上部係止爪３１を上部係止部３０の下方のポケット４１に係合すると、両ポケット４１、４２間の距離は短くなる。
このように、異なる二つのポケット４１、４２間の距離に対応するために、下部係止爪２１のポケット上端に接する接触面２１ａを基準として下部係止爪２１の長さに比べ、上部係止爪３１を長くしているのである。
【００２０】
一方、ポール１０の上端には、前記水平支持部３２と直交してＵ字形状のロープ掛止部３３を固定してある。このロープ掛止部３３は、端部にパティション３５を取り付けてあり、その外側にフック掛部３３ａを構成してある。このフック掛部３３ａには、ロープ１２の先端に設けたフック３９を掛け留めるのである。
また、ロープ掛止部３３の下部の横棒３３ｂにはローラ３６を回転自在に配置してあり、このローラ３６によってロープ１２の送りが滑らかに行われるのである。
上記において、ロープ掛止部３３を構成せずにロープ１２の先端を直接ポール１０の上端にかしめて固定した簡易な構成とすることもできる。
【００２１】
次に本実施形態の作用を図４に基づいて説明する。
（１）縦支柱２１０、２２０、２３０、２４０を地上に立設し、これらの縦支柱２１０〜２４０間に３本の横支柱１１０を掛け渡す。このとき横支柱１１０の両端を縦支柱２１０〜２４０に構成した上方のポケット４２，４２・・・に係合させて取り付ける。
その後、ブラケット（図示せず）を用いて前記横支柱１１０の上に一段目の足場板３１０，３１０，３１０を取りつける。
（２）次いで前記縦支柱２１０〜２４０の間に３本の手摺１２０を前記と同様に上方のポケット４２，４２・・・に係合させて取り付ける。
（３）２段目の足場板３２０を敷設するために、対応する縦支柱２１０〜２４０の上方のポケット４２，４２・・・に３本の横支柱１３０を係合させる。
（４）ポール１０の上部係止部３０のフック掛部３３ａにロープ１２のフック３９を掛けて、ロープ１２をローラ３６に掛け渡してロープ１２の下端を緊張器２６で留める。
（５）その後ポール１０を持ち上げて、上部係止爪３１を縦支柱２４０の上方係止部５０の上方のポケット４２に上方から挿入し、同時に下部係止爪２１を縦支柱２４０の下方係止部４０下方のポケット４１に上方から挿入する。
（６）次いで別のポール１０に前記ロープ１２の他端を掛けて、このロープ１２を伸ばしながら、前記と同様に前記別のポール１０を持ち上げて３スパン離れた縦支柱２１０の上方係止部５０と下方係止部４０のそれぞれ対応するポケット４２，４１に挿入する。
上記の作業においてロープ１２を掛け渡す際にフック３９を使用せずに直接ローラ３６に掛け渡すこともできる。
（７）ロープ１２を、ポール１０，１０間で張設して緊張器２６で緊張状態を保持する。
（８）２段目にブラケット（図示せず）を使用して３枚の足場板３２０を横支柱１３０，１３０，１３０の上部に固定する。
（９）２段目の足場板３２０の上にのぼり、安全ベルトＢをロープ１２にかける。
（１０）２段目の手摺１４０，１４０，１４０を縦支柱２１０〜２４０の間に１段目と同様に取り付けることによって落下防止作業が完了する。
このようにして順次３段目以降を構築していく。
【００２２】
上述のように本実施形態の落下防止部材によれば、移動可能なポールの上下に係止部材を設けた簡易な構成であるため部品が少なくなり、ロープを３スパン分一度に張設できるため、従来の先行手摺３個分を設置する作業が一度の作業で行うことができ作業効率が向上する。
さらに仮設足場の施工を行う際に、安全ベルトを付け替えずに足場板上の長い距離を移動できるため作業時間の短縮と作業効率のアップが図れる。
【図面の簡単な説明】
【００２３】
【図１】本発明の第１実施形態の正面図
【図２】本発明の第１実施形態の拡大平面図
【図３】本発明の第１実施形態の左側面図
【図４】本発明の第１実施形態の使用態様を示す説明図
【図５】図４の一部を省略したＡ−Ａ矢視図
【図６】下部係止部の拡大斜視図
【図７】上部係止部の拡大斜視図
【図８】ポールの支柱への取付け状態を示す説明図
【符号の説明】
【００２４】
１    落下防止部材
１０  ポール
１２  ロープ
２０  下部係止部
２１  下部係止爪
２６  ロープの緊張器
３０  上部係止部
３１  上部係止爪
３２  水平支持部
３３  ロープ掛止部
３３ａ  フック掛部
３５  パティション
３６  ローラ
４１  下方のポケット
４２  上方のポケット
１１０  横支柱
１３０  横支柱
１２０  手摺
１４０  手摺
２１０  縦支柱
２２０  縦支柱
２３０  縦支柱
２４０  縦支柱
３２０  足場板
３３０  相場板
【図１】
0005038805.tif 000002
【図２】
0005038805.tif 000003
【図３】
0005038805.tif 000004
【図４】
0005038805.tif 000005
【図５】
0005038805.tif 000006
【図６】
0005038805.tif 000007
【図７】
0005038805.tif 000008
【図８】
0005038805.tif 000009